(57)【要約】【課題】パスワードを利用せずに記録メディアへの不正アクセスを防止することができるアクセス管理装置、アクセス管理プログラム、アクセス管理方法、データ記録装置、およびデータ記録プログラムを提供する。【解決手段】データが記録されるデータ面と、データ面へのアクセスが許可された人物を表した人物画像が描かれたレーベル面とを有する記録メディアへのアクセスを求める要求を受ける要求受付部と、レーベル面から人物画像を読み取るレーベル読取部と、要求を発した人物を撮影して撮影画像を得る人物撮影部と、レーベル読取部で読み取られた人物画像中の人物と、人物撮影部で得られた撮影画像中の人物とが一致するか否かを画像解析に基づいて判定する一致判定部と、一致判定部において一致すると判定された場合に記録メディアへのアクセスを許可するアクセス許可部とを備えた。【選択図】        図５
2007317300.tif 000002
【特許請求の範囲】
【請求項１】
データが記録されるデータ面と、該データ面へのアクセスが許可された人物を表した人物画像が描かれたレーベル面とを有する記録メディアへのアクセスを求める要求を受ける要求受付部と、
前記レーベル面から前記人物画像を読み取るレーベル読取部と、
前記要求を発した人物を撮影して撮影画像を得る人物撮影部と、
前記レーベル読取部で読み取られた人物画像中の人物と、前記人物撮影部で得られた撮影画像中の人物とが一致するか否かを画像解析に基づいて判定する一致判定部と、
前記一致判定部において一致すると判定された場合に前記記録メディアへのアクセスを許可するアクセス許可部とを備えたことを特徴とするアクセス管理装置。
【請求項２】
前記一致判定部が、設定に応じた判定精度で判定するものであり、
前記記録メディアは、前記人物画像中の人物の社会的な所属を表わす情報が前記レーベル面に記録されたものであり、
前記レーベル面から前記情報を取得する情報取得部と、
前記一致判定部における判定精度を前記情報取得部で取得された情報が表わす所属に応じた判定精度に設定する精度設定部とを備えたことを特徴とする請求項１記載のアクセス管理装置。
【請求項３】
前記記録メディアは、前記情報として、職業を表した情報が記録されたものであることを特徴とする請求項１記載のアクセス管理装置。
【請求項４】
前記記録メディアは、前記情報が前記人物画像のレイアウトで記録されたものであることを特徴とする請求項１記載のアクセス管理装置。
【請求項５】
データが記録されるデータ面と、該データ面へのアクセスが許可された人物を表した人物画像が描かれたレーベル面とを有する記録メディアにデータを記録するデータ記録装置であって、
前記記録メディアへのアクセスが許可された人物を表した人物画像を取得する人物画像取得部と、
前記人物画像取得部で取得された人物画像中の人物の社会的な所属を操作に応じて手入する所属手入部と、
前記レーベル面に、前記人物画像取得部で取得された人物画像を、前記所属手入部で手入した所属に応じたレイアウトで描画する画像描画部とを備えたことを特徴とするデータ記録装置。
【請求項６】
コンピュータ内で実行され、該コンピュータ上に、データが記録されるデータ面と、該データ面へのアクセスが許可された人物を表した人物画像が描かれたレーベル面とを有する記録メディアへのアクセスを求める要求を受ける要求受付部と、
前記レーベル面から前記人物画像を読み取るレーベル読取部と、
前記要求を発した人物を撮影して撮影画像を得る人物撮影部と、
前記レーベル読取部で読み取られた人物画像中の人物と、前記人物撮影部で得られた撮影画像中の人物とが一致するか否かを画像解析に基づいて判定する一致判定部と、
前記一致判定部において一致すると判定された場合に前記記録メディアへのアクセスを許可するアクセス許可部とを構築することを特徴とするアクセス管理プログラム。
【請求項７】
コンピュータ内で実行され、該コンピュータ上に、データが記録されるデータ面と、該データ面へのアクセスが許可された人物を表した人物画像が描かれたレーベル面とを有する記録メディアにデータを記録するデータ記録装置を構築するデータ記録プログラムであって、
前記記録メディアへのアクセスが許可された人物を表した人物画像を取得する人物画像取得部と、
前記人物画像取得部で取得された人物画像中の人物の社会的な所属を操作に応じて手入する所属手入部と、
前記レーベル面に、前記人物画像取得部で取得された人物画像を、前記所属手入部で手入した所属に応じたレイアウトで描画する画像描画部とを構築することを特徴とするデータ記録プログラム。
【請求項８】
データが記録されるデータ面と、該データ面へのアクセスが許可された人物を表した人物画像が描かれたレーベル面とを有する記録メディアへのアクセスを求める要求を受ける要求受付過程と、
前記レーベル面から前記人物画像を読み取るレーベル読取過程と、
前記要求を発した人物を撮影して撮影画像を得る人物撮影過程と、
前記レーベル読取過程で読み取られた人物画像中の人物と、前記人物撮影過程で得られた撮影画像中の人物とが一致するか否かを画像解析に基づいて判定する一致判定過程と、
前記一致判定過程において一致すると判定された場合に前記記録メディアへのアクセスを許可するアクセス許可過程とを有することを特徴とするアクセス管理方法。
【発明の詳細な説明】
【技術分野】
【０００１】
本発明は、記録メディアへのアクセスを管理するアクセス管理装置、アクセス管理プログラム、アクセス管理方法、および記録メディアにデータを記録するデータ記録装置、データ記録プログラムに関する。
【背景技術】
【０００２】
近年、画像データや音声データなどといった各種データを記録する大容量な記録メディアとして、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  Ｒｅｗｒｉｔａｂｌｅ）、ＤＶＤ（Ｄｉｇｉｔａｌ  Ｖｅｒｓａｔｉｌｅ  Ｄｉｓｋ）等が普及している。このような記録メディアの多くは、データが記録されるデータ面と、そのデータ面とは反対側の面であって、例えば、音声データが表わす音楽の曲名や作曲者等を視覚的に確認するためのレーベル画像が描画されるレーベル面とを有している。
【０００３】
レーベル面にレーベル画像を描画する方法としては、例えば、レーベル画像が印刷されたシール等をレーベル面に貼付することで、レーベル面にレーベル画像を間接的に描画する方法や、レーベル画像をインクジェットプリンタ等を使ってレーベル面に直接に描画する方法等が挙げられる。近年では、光を使ってデータ面にデータを記録する記録メディアに対して、その光でレーベル面にレーベル画像を描画する方法も提案されてきており、レーベル画像を描画するための特別な装置や材料などを必要とせずに、手軽にレーベル画像を描画することができるようになると期待されている。
【０００４】
また、レーベル画像を単に記録内容の確認のためだけに利用するのではなく、レーベル画像を使って記録メディアに付加価値を与えることも考案されてきている。例えば、特許文献１には、データ面に商品カタログ等を表わすデータを記録しておき、レーベル面にセールスマンの氏名や顔画像などを印刷する技術について記載されている。この特許文献１に記載された技術によると、セールスマンにとっては、記録メディアを連絡先と詳しい商品の説明とが記録された電子名刺として利用することができ、セールスの効率を向上させることができる。また、顧客にとっては、商品カタログと名刺とを嵩張らずに一緒に保管することができ、整理の手間を省くことができる。
【０００５】
ところで、記録メディアには、商品カタログなどのように不特定多数の人物によってアクセスされることが想定されるデータだけではなく、顧客の個人情報や、会社の機密事項などといった機密性の高いデータが記録されることも多い。特に、近年では、個人情報の保護が重要視されてきており、記録メディアの分野においても、紛失時や盗難時に第３者によってデータ面に記録された重要なデータに不正にアクセスされてしまう危険を回避することが強く求められている。この点に関し、従来は、記録メディアや、記録メディアに記録されたデータに対して予めパスワードを設定しておき、入力したパスワードと設定したパスワードとが一致した場合にのみアクセスを許可することが一般的に行われている。
【特許文献１】特開２００５−２４８８８２号公報
【発明の開示】
【発明が解決しようとする課題】
【０００６】
しかし、設定したパスワードを忘れてしまって重要なデータを読み出すことができなくなってしまう不具合も多発しており、パスワードなしで不正アクセスを防止することができる技術の開発が要求されている。
【０００７】
本発明は、上記事情に鑑み、パスワードを利用せずに記録メディアへの不正アクセスを防止することができるアクセス管理装置、アクセス管理プログラム、アクセス管理方法、データ記録装置、およびデータ記録プログラムを提供することを目的とする。
【課題を解決するための手段】
【０００８】
上記目的を達成する本発明のアクセス管理装置は、データが記録されるデータ面と、データ面へのアクセスが許可された人物を表した人物画像が描かれたレーベル面とを有する記録メディアへのアクセスを求める要求を受ける要求受付部と、
レーベル面から人物画像を読み取るレーベル読取部と、
要求を発した人物を撮影して撮影画像を得る人物撮影部と、
レーベル読取部で読み取られた人物画像中の人物と、人物撮影部で得られた撮影画像中の人物とが一致するか否かを画像解析に基づいて判定する一致判定部と、
一致判定部において一致すると判定された場合に記録メディアへのアクセスを許可するアクセス許可部とを備えたことを特徴とする。
【０００９】
本発明のアクセス管理装置によると、記録メディアへのアクセスが要求されると、その要求を発した人物が撮影されて撮影画像が取得され、撮影画像中の人物と記録メディアのレーベル面に描かれた人物画像中の人物とが一致すると判定された場合にのみ、その記録メディアへのアクセスが許可される。したがって、記録メディアのレーベル面に描かれた人物のみがデータ面に記録されたデータにアクセスすることができ、パスワードなどを利用せずに容易に不正アクセスを防止することができる。また、レーベル面に描画された人物画像を確認することによって、その記録メディアへのアクセスが許可された人物を容易に認識することができる。
【００１０】
また、本発明のアクセス管理装置において、「上記一致判定部が、設定に応じた判定精度で判定するものであり、
上記記録メディアは、人物画像中の人物の社会的な所属を表わす情報がレーベル面に記録されたものであり、
レーベル面から上記情報を取得する情報取得部と、
上記一致判定部における判定精度を情報取得部で取得された情報が表わす所属に応じた判定精度に設定する精度設定部とを備えた」という形態は好ましい。
【００１１】
例えば、会社員や公務員などが利用している記録メディアには、会社の機密情報や個人情報などといった重要な情報が記録されていることがあるため、このような記録メディアに対しては、一致判定部における判定精度を高めて不正アクセスを確実に回避することが求められる。一方、一致判定部における判定精度を高めると、撮影画像中の人物と人物画像中の人物とが同一であっても、表情などによってはそれらの人物が不一致と判定される場合もあるため、主婦や学生などが利用している記録メディアに対しては、判定精度を低下させて記録メディアの所有者に確実にアクセスを許可することが求められる。人物画像中の人物が有する社会的な所属に応じた判定精度で一致判定が行われることによって、記録メディアの用途に適したアクセス管理を行うことができる。
【００１２】
また、本発明のアクセス管理装置において、上記記録メディアは、上記情報として、職業を表した情報が記録されたものであることが好適である。
【００１３】
本発明の好適なアクセス管理装置によると、データ面に記録されたデータの機密度合いに合った精度で一致判定を行うことができる。
【００１４】
また、本発明のアクセス管理装置において、上記記録メディアは、上記情報が人物画像のレイアウトで記録されたものであることが好ましい。
【００１５】
例えば、会社員が利用する記録メディアには会社名や部署名が記載されたレイアウトで人物画像が記録され、主婦が利用する記録メディアには明るい色合いのレイアウトで人物が記録され、学生が利用する記録メディアにはデザイン性の高いレイアウトで人物が記録されることによって、好みの傾向や使用目的に合った絵柄が描かれた記録メディアを提供することができるとともに、記録メディアに対する一致判定の精度を確実に設定することができる。
【００１６】
また、上記目的を達成する本発明のデータ記録装置は、データが記録されるデータ面と、データ面へのアクセスが許可された人物を表した人物画像が描かれたレーベル面とを有する記録メディアにデータを記録するデータ記録装置であって、
記録メディアへのアクセスが許可された人物を表した人物画像を取得する人物画像取得部と、
人物画像取得部で取得された人物画像中の人物の社会的な所属を操作に応じて手入する所属手入部と、
レーベル面に、人物画像取得部で取得された人物画像を、所属手入部で手入した所属に応じたレイアウトで描画する画像描画部とを備えたことを特徴とする。
【００１７】
本発明のデータ記録装置によると、データ面へのアクセスが許可された人物を表した人物画像を、その人物の社会的な所属に適したレイアウトで自動的にレーベル面に描画することができる。
【００１８】
また、上記目的を達成する本発明のアクセス管理プログラムは、コンピュータ内で実行され、コンピュータ上に、データが記録されるデータ面と、データ面へのアクセスが許可された人物を表した人物画像が描かれたレーベル面とを有する記録メディアへのアクセスを求める要求を受ける要求受付部と、
レーベル面から人物画像を読み取るレーベル読取部と、
要求を発した人物を撮影して撮影画像を得る人物撮影部と、
レーベル読取部で読み取られた人物画像中の人物と、人物撮影部で得られた撮影画像中の人物とが一致するか否かを画像解析に基づいて判定する一致判定部と、
一致判定部において一致すると判定された場合に記録メディアへのアクセスを許可するアクセス許可部とを構築することを特徴とする。
【００１９】
本発明のアクセス管理プログラムによると、パスワードなどを利用せずに記録メディアへの不正なアクセスを防止することができる。
【００２０】
尚、アクセス管理プログラムについては、ここではその基本形態のみを示すのにとどめるが、これは単に重複を避けるためであり、本発明にいうアクセス管理プログラムには、上記の基本形態のみではなく、前述したアクセス管理装置の各形態に対応する各種の形態が含まれる。
【００２１】
さらに、本発明のアクセス管理プログラムがコンピュータシステム上に構築するレーベル読取部などといった要素は、１つの要素が１つのプログラム部品によって構築されるものであってもよく、複数の要素が１つのプログラム部品によって構築されるものであってもよい。また、これらの要素は、そのような作用を自分自身で実行するものとして構築されてもよく、あるいはコンピュータシステムに組み込まれている他のプログラムやプログラム部品に指示を与えて実行するものとして構築されてもよい。
【００２２】
また、上記目的を達成する本発明のデータ記録プログラムは、コンピュータ内で実行され、コンピュータ上に、データが記録されるデータ面と、データ面へのアクセスが許可された人物を表した人物画像が描かれたレーベル面とを有する記録メディアにデータを記録するデータ記録装置を構築するデータ記録プログラムであって、
記録メディアへのアクセスが許可された人物を表した人物画像を取得する人物画像取得部と、
人物画像取得部で取得された人物画像中の人物の社会的な所属を操作に応じて手入する所属手入部と、
レーベル面に、人物画像取得部で取得された人物画像を、所属手入部で手入した所属に応じたレイアウトで描画する画像描画部とを構築することを特徴とする。
【００２３】
本発明のデータ記録プログラムによると、データ面へのアクセスが許可された人物を表した人物画像を、その人物の社会的な所属に適したレイアウトでレーベル面に描画することができる。
【００２４】
尚、本発明のデータ記録プログラムがコンピュータシステム上に構築する人物画像取得部などといった要素は、１つの要素が１つのプログラム部品によって構築されるものであってもよく、複数の要素が１つのプログラム部品によって構築されるものであってもよい。また、これらの要素は、そのような作用を自分自身で実行するものとして構築されてもよく、あるいはコンピュータシステムに組み込まれている他のプログラムやプログラム部品に指示を与えて実行するものとして構築されてもよい。
【００２５】
また、上記目的を達成する本発明のアクセス管理方法は、データが記録されるデータ面と、データ面へのアクセスが許可された人物を表した人物画像が描かれたレーベル面とを有する記録メディアへのアクセスを求める要求を受ける要求受付過程と、
レーベル面から人物画像を読み取るレーベル読取過程と、
要求を発した人物を撮影して撮影画像を得る人物撮影過程と、
レーベル読取過程で読み取られた人物画像中の人物と、人物撮影過程で得られた撮影画像中の人物とが一致するか否かを画像解析に基づいて判定する一致判定過程と、
一致判定過程において一致すると判定された場合に記録メディアへのアクセスを許可するアクセス許可過程とを有することを特徴とする。
【００２６】
尚、アクセス管理方法についても、ここではその基本形態のみを示すのにとどめるが、これは単に重複を避けるためであり、本発明にいうアクセス管理方法には、上記の基本形態のみではなく、前述したアクセス管理装置の各形態に対応する各種の形態が含まれる。
【発明の効果】
【００２７】
本発明によれば、パスワードを利用せずに記録メディアへの不正アクセスを防止することができる。
【発明を実施するための最良の形態】
【００２８】
以下図面を参照して本発明の実施の形態を説明する。
【００２９】
図１は、本発明のアクセス管理装置およびデータ記録装置それぞれの一実施形態が適用されたコンピュータシステム１０の外観斜視図である。
【００３０】
この図１に示すコンピュータシステム１０は、パーソナルコンピュータ１００と、そのパーソナルコンピュータ１００に接続されたＤＶＤドライブ２００とで構成されている。
【００３１】
パーソナルコンピュータ１００は、後述するように本発明のアクセス管理装置およびデータ記録装置それぞれの一実施形態として動作するものであり、外観構成上、本体装置１１０、その本体装置１１０からの指示に応じて表示画面１２１上に画像を表示する画像表示装置１２０、被写体を撮影する撮影装置１０１、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００３２】
ＤＶＤドライブ２００は、外観上、ＤＶＤを装填するためのＤＶＤ装填口２００ａを有する。このＤＶＤドライブ２００は、データが光で記録されるデータ面と、その光でレーベル画像が描画されるレーベル面とを有するレーベル描画型のＤＶＤ３００に対応したものであり、このようなＤＶＤ３００に対する、レーザ光によるデータ面へのデータの記録と、そのレーザ光によるレーベル面へのレーベル画像の描画とを実行する機能を有している。このＤＶＤドライブ２００では、データの記録の際には、ＤＶＤ３００は、データ面が図中で下向きにされて装填され、レーベル画像の描画の際には、逆に、レーベル面が下向きにされて装填される。ここで、上記のレーベル描画型のＤＶＤ３００が、本発明にいう記録メディアの一例に相当する。
【００３３】
以下、このＤＶＤドライブ２００の内部構成について説明する。
【００３４】
図２は、図１に示すＤＶＤドライブ２００の内部構成を示すハードウェアブロック図である。
【００３５】
この図２に示すＤＶＤドライブ２００は、光ピックアップ２０１、スピンドルモータ２０２、回転検出器２０３、ＲＦ（Ｒａｄｉｏ  Ｆｒｅｑｕｅｎｃｙ）アンプ２０４、デコーダ２０５、サーボ回路２０６、ステッピングモータ２０７、モータドライバ２０８、インタフェース回路２０９、バッファメモリ２１０、エンコーダ２１１、ストラテジ回路２１２、フレームメモリ２１３、データ変換器２１４、レーザパワー自動制御（Ａｕｔｍａｔｉｃ  Ｌａｓｅｒ  Ｐｏｗｅｒ  Ｃｏｎｔｒｏｌ：ＡＬＰＣ）回路２１５、レーザドライバ２１６、画像読取回路２１７、および制御回路２１８を備えている。このＤＶＤドライブ２００は、図１にも示すパーソナルコンピュータ１００に、インタフェース回路２０９を介して接続されている。
【００３６】
まず、このＤＶＤドライブ２００における、ＤＶＤ３００へのデータの記録について説明する。
【００３７】
上述したようにこのＤＶＤドライブ２００は、レーベル描画型のＤＶＤに対応した装置であり、このＤＶＤドライブ２００に装填されるＤＶＤ３００は、データが光で記録されるデータ面と、その光でレーベル画像が描画されるレーベル面とを有している。
【００３８】
データの記録時には、ＤＶＤ３００は、データ面が光ピックアップ２０１と対向するように、データ面を下に向けてＤＶＤドライブ２００に装填される。装填されたＤＶＤ３００は、不図示の保持機構で保持された状態で、スピンドルモータ２０２によって回転駆動される。また、このときには、記録に最適な回転速度が制御回路２１８からサーボ回路２０６に伝えられる。さらに、スピンドルモータ２０２の回転速度が回転検出器２０３によって検出され、その回転速度を表わす速度信号もサーボ回路２０６に伝えられる。サーボ回路２０６は、両者を比較し、速度信号が表わす回転速度が、上記の最適な回転速度となるようにスピンドルモータ２０２の回転速度を制御する。
【００３９】
光ピックアップ２０１は、赤外域の波長のレーザ光を発する第１のレーザダイオード２０１ａ、赤色域の波長のレーザ光を発する第２のレーザダイオード２０１ｂ、受光素子、および集光レンズ等からなる光学系を備えている。本実施形態では、第１のレーザダイオード２０１ａが発するレーザ光は、データの記録および再生、レーベル画像の描画、および光学系の微調整に使われ、第２のレーザダイオード２０１ｂが発するレーザ光は、レーベル画像の読取りに使われる。このような動作に応じたレーザダイオードの切換えは、ＡＬＰＣ回路２１５を介した制御回路２１８からの光ピックアップ２０１に対する制御によって行われる。
【００４０】
上記のように制御された回転速度で回転するＤＶＤ３００のデータ面に対して、第１のレーザダイオード２０１ａから発し集光レンズで集光されたレーザ光が照射されることで、そのデータ面にデータが記録される。このとき、記録に最適なレーザ光強度が制御回路２１８からＡＬＰＣ回路２１５に伝えられる。また、光ピックアップ２０１は、各レーザダイオードが発するレーザ光の強度をモニタするセンサを有している。データ記録時には、第１のレーザダイオード２０１ａが発するレーザ光の強度が、このセンサによってモニタされＡＬＰＣ回路２１５に伝えられる。ＡＬＰＣ回路２１５は、モニタされた強度と上記の記録に最適なレーザ光強度とを比較し、両者を一致させるための制御信号をレーザドライバ２１６に送る。また、光ピックアップ２０１は、集光されたレーザ光のデータ面上での微小な位置決めを行なうサーボ機構や、集光レンズに対するフォーカス制御を行うフォーカス機構を有している。本実施形態では、データ記録のためのレーザ光がデータ面で反射されたときのその反射光を利用して、これらの機構の動作が、制御回路２１８からの指示に従ったサーボ回路２０６によって制御される。これにより、正確に集光されたレーザ光が、ＤＶＤ３００のデータ面上の目標位置に正確に照射されることとなる。
【００４１】
ここで、ＤＶＤ３００に記録されるデータは、インタフェース回路２０９を介してパーソナルコンピュータ１００から供給され、バッファメモリ２１０に一時的に記憶される。そして、このバッファメモリ２１０内のデータは、エンコーダ２１１によって適宜に読み出され、所定の符号化処理によってＤＶＤ３００への記録に適した符号化データに変換される。この符号化データはストラテジ回路２１２に供給され、このストラテジ回路２１２によって、時間軸補正等の補正処理が施された後に、レーザドライバ２１６に供給される。
【００４２】
レーザドライバ２１６は、光ピックアップ２０１の第１のレーザダイオード２０１ａを、この補正処理を経た符号化データに従って駆動する駆動信号を生成してその光ピックアップ２０１に送る。そして、光ピックアップ２０１が、上記の符号化データに従って変調されたレーザ光をデータ面に照射することで、その符号化データが、レーザ光の照射によって生じるマークでデータ面に記録されることとなる。このとき、このレーザドライバ２１６は、上記の駆動信号を生成する際には、その駆動信号に、ＡＬＰＣ回路２１５から送られた制御信号を反映させるので、データの記録が、常に、最適なレーザ光強度で行なわれることとなる。
【００４３】
次に、このＤＶＤドライブ２００における、ＤＶＤ３００に記録されたデータの再生について説明する。
【００４４】
このデータの再生の際にも、ＤＶＤ３００は、データ面が光ピックアップ２０１に対向するように装填され、スピンドルモータ２０２によって最適な回転速度で回転される。
【００４５】
また、上述したように、このデータの再生にも、光ピックアップ２０１における第１のレーザダイオード２０１ａを発する赤外域のレーザ光が使われる。
【００４６】
データの再生時には、この第１のレーザダイオード２０１ａが発しＤＶＤ３００のデータ面で反射されたレーザ光が、光ピックアップ２０１の受光素子で受光される。このとき、ＤＶＤ３００のデータ面で反射されるレーザ光の強度は、そのデータ面における上記のマークの有無に従って変化する。マークの有無は上記の符号化データに対応しているので、データ面で反射されたレーザ光が受光素子で受光されることによって得られる受光データは、そのデータ面に記録されている符号化データと同等な符号化データとなる。受光素子で得られた受光データは、ＲＦアンプ２０４によって増幅され、デコーダ２０５に送られる。デコーダ２０５は、その送られた受光データに所定の復号化処理を施すことによって、その受光データからデータを再生して制御回路２１８に送る。制御回路２１８は、その再生されたデータをインタフェース回路２０９を介してパーソナルコンピュータ１００に送る。また、このようなデータの再生時にも、レーザ光の強度をモニタするセンサによるモニタ結果に応じてレーザ光の強度がデータの再生に最適な強度にＡＬＰＣ回路２１５によって制御され、光ピックアップ２０１が有するサーボ機構やフォーカス機構は、正確に集光されたレーザ光が、ＤＶＤ３００のデータ面上の目標位置に正確に照射されるようにサーボ回路２０６によって制御される。
【００４７】
次に、このＤＶＤドライブ２００における、ＤＶＤ３００へのレーベル画像の描画について説明する。
【００４８】
上述したように、レーベル画像の描画の際にも、光ピックアップ２０１における第１のレーザダイオード２０１ａが発する赤外域のレーザ光が使われる。また、レーベル画像の描画が行われる際には、ＤＶＤ３００が、レーベル面が光ピックアップ２０１に対向するように、このレーベル面を下に向けて装填される。
【００４９】
レーベル画像を表わす画像データは、インタフェース回路２０９を介してパーソナルコンピュータ１００から供給され、フレームメモリ２１３に一時的に記憶される。そして、このフレームメモリ２１３内の画像データは、データ変換器２１４によって適宜に読み出され、その画像データが表わすレーベル画像を階調値で表現した階調画像データに変換される。この階調画像データが、レーザドライバ２１６に供給される。そして、レーザドライバ２１６が、光ピックアップ２０１の第１のレーザダイオード２０１ａを、この階調画像データに従って駆動する駆動信号を生成する。
【００５０】
ここで、本実施形態で使用されるＤＶＤ３００のレーベル面は赤外域の光が照射されると、その光に反応して照射された部分が薄まる青色のレーベル色を有している。そして、このレーベル色の薄まりは、光の照射回数が多いほど強まる。本実施形態では、階調画像データが表わすレーベル画像の各部の階調値に従って、上記の駆動信号によって適宜にオン／オフされるレーザ光で、回転駆動されているＤＶＤ３００のレーベル面が繰返し走査される。その結果、レーベル面における、レーベル画像の各部に対応する部分に、そのレーベル画像の各部の階調値に応じた回数でレーザ光が照射される。これにより、レーベル面の各部分のレーベル色が適宜に薄められてレーベル画像が描画されることとなる。
【００５１】
また、このようなレーベル画像の描画時にも、レーザ光の強度をモニタするセンサによるモニタ結果に応じてレーザ光の強度が描画に最適な強度にＡＬＰＣ回路２１５によって制御され、光ピックアップ２０１が有するサーボ機構やフォーカス機構は、正確に集光されたレーザ光が、ＤＶＤ３００のデータ面上の目標位置に正確に照射されるようにサーボ回路２０６によって制御される。
【００５２】
次に、このＤＶＤドライブ２００における、ＤＶＤ３００からのレーベル画像の読取りについて説明する。
【００５３】
このレーベル画像の読取りの際には、ＤＶＤ３００が、レーベル画像が描画されたレーベル面が光ピックアップ２０１に対向するように、このレーベル面を下に向けて装填される。
【００５４】
上述したように、レーベル画像の読取りには、光ピックアップ２０１における第２のレーザダイオード２０１ｂが発する赤色域のレーザ光が使われる。
【００５５】
本実施形態では、レーベル画像の描画は、レーベル面の青色のレーベル色を薄めることで行われる。このようなレーベル面に赤色域の光が照射されると、そのレーベル面で反射される反射光の強度は、その光が照射された部分の青色の濃度によって異なる。そこで、レーベル画像の読取りは、光ピックアップ２０１において、レーベル面に赤色域のレーザ光を照射し、レーベル面に描画されたレーベル画像に応じて変化する反射光の強度を検出することで行われる。光ピックアップ２０１における検出結果は、画像読取回路２１７においてレーベル画像を表わす画像データに変換され、制御回路２１８およびインタフェース回路２０９を介してパーソナルコンピュータ１００に送られる。また、このようなレーベル画像の読取り時にも、レーザ光の強度をモニタするセンサによるモニタ結果に応じてレーザ光の強度が読取りに最適な強度にＡＬＰＣ回路２１５によって制御される。また、光ピックアップ２０１が有するサーボ機構やフォーカス機構に対する制御も適宜に行われるが、このときには、光ピックアップ２０１におけるレーザ光の発光が、第２のレーザダイオード２０１ｂから第１のレーザダイオード２０１ａに切り換えられ、第１のレーザダイオード２０１ａが発する赤外域のレーザ光を使った制御が行われる。
【００５６】
ＤＶＤドライブ２００は、以上に説明した構成となっている。
【００５７】
次に、図１に示すコンピュータシステム１０を構成するパーソナルコンピュータ１００のハードウェア構成について説明する。
【００５８】
図３は、図１および図２に示すパーソナルコンピュータ１００のハードウェア構成図である。
【００５９】
このパーソナルコンピュータ１００の本体装置１１０（図１参照）の内部には、図３に示すように、各種プログラムを実行するＣＰＵ１１１、ハードディスク装置１１３に格納されたプログラムが読み出されＣＰＵ１１１での実行のために展開される主メモリ１１２、各種プログラムやデータなどが保存されたハードディスク装置１１３、ＦＤ４１０をアクセスするＦＤドライブ１１４、ＣＤ−ＲＯＭ４２０が装填され、その装填されたＣＤ−ＲＯＭ４２０をアクセスするＣＤ−ＲＯＭドライブ１１５、図１のＤＶＤドライブ２００に接続されデータのやり取りを行なうＩ／Ｏインタフェース１１６が内蔵されており、これらの各種要素と、さらに図１にも示す画像表示装置１２０、キーボード１３０、マウス１４０、撮影装置１０１は、バス１１７を介して相互に接続されている。
【００６０】
ここで、ＣＤ−ＲＯＭ４２０には、本発明のアクセス管理プログラムおよびデータ記録プログラムそれぞれの一実施形態が適用されたアクセス用プログラムが記憶されている。そのＣＤ−ＲＯＭ４２０はＣＤ−ＲＯＭドライブ１１５に装填され、そのＣＤ−ＲＯＭ４２０に記憶されたアクセス用プログラムがこのパーソナルコンピュータ１００にアップロードされてハードディスク装置１１３に記憶される。そして、このアクセス用プログラムが起動されて実行されることにより、パーソナルコンピュータ１００内に、本発明のアクセス管理装置およびデータ記録装置それぞれの一実施形態が適用されたアクセス装置６００（図５参照）が構築される。
【００６１】
次に、このパーソナルコンピュータ１００内で実行されるアクセス用プログラムについて説明する。
【００６２】
図４は、アクセス用プログラム５００が記憶されたＣＤ−ＲＯＭ４２０を示す概念図である。
【００６３】
アクセス用プログラム５００は、登録画像取得部５０１、登録情報取得部５０２、テンプレート取得部５０３、レーベル画像描画部５０４、レーベル画像読取部５０５、要求受付部５０６、精度設定部５０７、要求者画像取得部５０８、一致判定部５０９、アクセス許可部５１０、およびアクセス部５１１で構成されている。アクセス用プログラム５００の各部の詳細については、アクセス装置６００の各部の作用と一緒に説明する。
【００６４】
尚、図４では、アクセス用プログラム５００を記憶する記憶媒体としてＣＤ−ＲＯＭ４２０が例示されているが、本発明のアクセス管理プログラムおよびデータ記録プログラムを記憶する記憶媒体はＣＤ−ＲＯＭに限られるものではなく、それ以外の光ディスク、ＭＯ、ＦＤ、磁気テープなどの記憶媒体であってもよい。また、本発明のアクセス管理プログラムおよびデータ記録プログラムは、記憶媒体を介さずに、通信網を介して直接にコンピュータに供給されるものであってもよい。
【００６５】
図５は、アクセス用プログラム５００を図１に示すパーソナルコンピュータ１００にインストールしたときの、パーソナルコンピュータ１００内に構築されるアクセス装置６００の機能ブロック図である。
【００６６】
図５に示すアクセス装置６００は、登録画像取得部６０１と、登録情報取得部６０２と、テンプレート取得部６０３と、レーベル画像描画部６０４と、レーベル画像読取部６０５と、要求受付部６０６と、精度設定部６０７と、要求者画像取得部６０８と、一致判定部６０９と、アクセス許可部６１０と、アクセス部６１１と、データベース６２０とを備えている。図４に示すアクセス用プログラム５００を図１に示すパーソナルコンピュータ１００にインストールすると、アクセス用プログラム５００の登録画像取得部５０１は図５の登録画像取得部６０１を構築し、以下同様に、登録情報取得部５０２は登録情報取得部６０２を構築し、テンプレート取得部５０３はテンプレート取得部６０３を構築し、レーベル画像描画部５０４はレーベル画像描画部６０４を構築し、レーベル画像読取部５０５はレーベル画像読取部６０５を構築し、要求受付部５０６は要求受付部６０６を構築し、精度設定部５０７は精度設定部６０７を構築し、要求者画像取得部５０８は要求者画像取得部６０８を構築し、一致判定部５０９は一致判定部６０９を構築し、アクセス許可部５１０はアクセス許可部６１０を構築し、アクセス部５１１はアクセス部６１１を構築する。
【００６７】
図５の各要素は、コンピュータのハードウェアとそのコンピュータで実行されるＯＳやアプリケーションプログラムとの組合せで構成されているのに対し、図４に示すアクセス用プログラム５００の各要素はそれらのうちのアプリケーションプログラムのみにより構成されている点が異なる。
【００６８】
以下、図５に示すアクセス装置６００の各要素を説明することによって、図４に示すアクセス用プログラム５００の各要素も併せて説明する。
【００６９】
図６は、ＤＶＤ３００のレーベル面３１０にレーベル画像を描画する一連の処理を示すフローチャート図である。
【００７０】
まず、この図６に従って、アクセス装置６００のうちレーベル面３１０に描画するための各種要素と、それら各種要素による処理の流れについて説明する。
【００７１】
パーソナルコンピュータ１００には、ＤＶＤ３００のデータ面３２０に記録されたデータに対してアクセスを許可する人物（以下では、この人物を許可人物と称する）の情報を設定するための設定画面が予め用意されている。レーベル画像の描画に当たっては、まず、設定画面に従って各種設定が行われる。
【００７２】
図７は、人物の情報を設定するための設定画面の一例を示す図である。
【００７３】
図７に示すように、レーベル画像用設定画面７０１には、ＤＶＤ３００のタイトルを入力するためのタイトル入力部７１１、氏名を入力するための氏名入力部７１２、性別を入力するための性別ボタン７１３、年齢を入力するための年齢入力部７１４、職業として「公務員」を選択するための第１ボタン７１５、職業として「会社員等」を選択するための第２ボタン７１６、職業として「その他」を選択するための第３ボタン７１７、撮影を指示する撮影ボタン７１８、入力された内容を決定する決定ボタン７１９、入力された内容をキャンセルするキャンセルボタン７２０、および撮影画像を表示するための撮影画像表示部７２１が備えられている。第１ボタン７１５が選択されて、職業として「公務員」が選択されたときには、所属部署名も一緒に入力され、第２ボタン７１６が選択されて、職業として「会社員等」が選択されたときには、会社名と所属部署名も一緒に入力される。
【００７４】
ユーザがレーベル画像用設定画面７０１に従い、図１に示すマウス１４０やキーボード１３０を使って、ＤＶＤ３００のタイトル、氏名、年齢、性別、職業等を設定し、さらに決定ボタン７１９を選択すると、設定内容が図５に示す登録情報取得部６０２に伝えられる（図６のステップＳ１１）。マウス１４０およびキーボード１３０と、登録情報取得部６０２とを合わせたものは、本発明にいう所属手入部の一例に相当する。図７に示す例では、ＤＶＤ３００のタイトルが「顧客一覧」と設定され、許可人物の氏名が「山田花子」と設定され、許可人物の性別が「女性」と設定され、許可人物の年齢が「３０歳」と設定され、許可人物の職業が「会社員」と設定され、さらに、会社名が「○×商事」、所属部署名が「営業一課」と設定されている。
【００７５】
続いて、ユーザが撮影ボタン７１８を選択すると、図１に示す撮影装置１０１においてユーザが撮影され、撮影画像が生成される。生成された撮影画像は、図３に示す画像表示装置１２０に伝えられ、レーベル画像用設定画面７０１の撮影画像表示部７２１に表示される。さらに、ユーザが決定ボタン７１９を選択すると、撮影画像が図５に示す登録画像取得部６０１に伝えられる（図６のステップＳ１２）。登録画像取得部６０１は、本発明にいう人物画像取得部の一例に相当する。
【００７６】
登録画像取得部６０１で取得された撮影画像はレーベル画像描画部６０４に伝えられ、登録情報取得部６０２で取得された各種情報は、テンプレート取得部６０３に伝えられる。
【００７７】
ここで、本実施形態においては、データベース６２０に、人物の年齢や性別や職業などといった社会的所属と、それらの社会的所属に属した人物に好まれると思われるレーベル画像のレイアウトを表現したテンプレートとが対応付けて記憶されている。
【００７８】
図８は、データベース６２０に記憶されたテンプレートの一例を示す図である。
【００７９】
本実施形態においては、「公務員」という社会的所属と、ＤＶＤ３００のタイトル、作成日、所属部署名、および所有者名が配置された公務員用テンプレート８０１とが対応付けて記憶されており、「会社員等」という社会的所属と、会社名、ＤＶＤ３００のタイトル、作成日、所属部署名、および所有者名が配置された会社員用テンプレート８０２とが対応付けて記憶されており、「子供（０歳〜１５歳）」という社会的所属と、ＤＶＤ３００のタイトルとアニメのキャラクターが描画された子供用テンプレート８０３とが対応付けて記憶されており、「若者（１６歳〜４０歳）」という社会的所属と、ＤＶＤ３００のタイトルとデザイン性が高い模様が描画された若者用テンプレート８０４とが対応付けて記憶されており、「中年（４１歳〜６０歳）」という社会的所属と、ＤＶＤ３００のタイトルと洋風な建物などが描画された中年用テンプレート８０５とが対応付けて記憶されており、「老年（６１歳〜）」という社会的所属と、ＤＶＤ３００のタイトルと自然の風景などが描画された老年用テンプレート８０６とが対応付けて記憶されている。
【００８０】
図５に示すテンプレート取得部６０３は、登録情報取得部６０２で取得された各種情報の中から、許可人物の年齢、性別、職業などの情報を、社会的な所属を表わす地位情報として選択する（図６のステップＳ１３）。本実施形態においては、職業として「公務員」あるいは「会社員等」が設定されている場合には、その職業が地位情報として選択され、職業として「その他」が設定されている場合には、職業と年齢が地位情報として選択される。図７に示す例では、「会社員」という地位情報が選択される。
【００８１】
続いて、テンプレート取得部６０３は、データベース６２０に記憶された複数のテンプレートの中から、選択した地位情報が示す社会的所属と合致する社会的所属と対応付けられたテンプレートを選択する（図６のステップＳ１４）。この例では、「会社員」と対応付けられた会社員用テンプレート８０２が選択される。許可人物の各種情報、および選択されたテンプレートはレーベル画像描画部６０４に伝えられる。
【００８２】
レーベル画像描画部６０４は、テンプレート取得部６０３から伝えられたテンプレートに、登録画像取得部６０１から伝えられた撮影画像を嵌め込んでレーベル画像を生成し（図６のステップＳ１５）、生成したレーベル画像をＤＶＤドライブ２００に伝えることにより、レーベル面３１０にレーベル画像を描画する（図６のステップＳ１６）。レーベル画像描画部６０４は、本発明にいう画像描画部の一例に相当する。
【００８３】
図９は、レーベル面３１０に描かれたレーベル画像の一例を示す図である。
【００８４】
図９に示すように、ＤＶＤ３００のレーベル面３１０には、テンプレート取得部６０３から伝えられた会社員用テンプレート８０２に、図７の撮影画像表示部７２１に表示された撮影画像が嵌め込まれたレーベル画像が描かれている。
【００８５】
このように、本実施形態によると、職業や年齢などを入力するだけで、各ユーザに適したレイアウトのレーベル画像を自動的に描画することができる。また、レーベル面３１０に、許可人物の人物画像が描画されるため、多数のＤＶＤ３００が混在してしまった場合であっても、それらの中から自分のＤＶＤ３００を容易に見つけ出すことができる。
【００８６】
以上のようにして、ＤＶＤ３００のレーベル面３１０にレーベル画像が描画される。
【００８７】
続いて、レーベル画像が描画されたＤＶＤ３００のデータ面３２０にアクセスする一連の処理について説明する。
【００８８】
図１０は、ＤＶＤ３００のデータ面３２０にアクセスする一連の処理を示すフローチャートである。
【００８９】
パーソナルコンピュータ１００には、ＤＶＤドライブ２００に対して情報アクセスの開始を指示するためのアイコン（図示しない）が予め用意されている。ユーザ（以下では、アクセスを要求するユーザを要求人物と称する）がマウス１４０等を使ってアイコンを選択すると、アクセス開始の要求が図５の要求受付部６０６に伝えられる（図１０のステップＳ２１）。要求受付部６０６にアクセス開始の要求が伝えられるステップＳ２１の処理は、本発明のアクセス管理方法における要求受付過程の一例にあたり、要求受付部６０６は、本発明にいう要求受付部の一例に相当する。
【００９０】
要求受付部６０６においてアクセス開始の要求が受け付けられると、レーベル画像読取部６０５は、ＤＶＤドライブ２００にレーベル画像の読み取りを指示して、レーベル面３１０上に描画されたレーベル画像を取得する（図１０のステップＳ２２）。レーベル画像読取部６０５は、本発明にいうレーベル読取部の一例にあたり、レーベル画像を取得するステップＳ２２の処理は、本発明のアクセス管理方法におけるレーベル読取過程の一例に相当する。取得されたレーベル画像は、精度設定部６０７および一致判定部６０９に伝えられる。
【００９１】
精度設定部６０７では、まず、取得されたレーベル画像が分析され、図８に示す複数のテンプレートの中から、レーベル画像の生成に利用されたテンプレートが判定される（図１０のステップＳ２３）。図９に示す例では、レーベル面３１０に描画されたレーベル画像が読み取られて画像解析が行われることにより、図８に示す会社員用テンプレート８０２が利用されたことが判定される。
【００９２】
続いて、精度設定部６０７では、判定されたテンプレートと対応付けられた人物の社会的所属が取得され（図１０のステップＳ２４）、その社会的所属に応じて、アクセス許可の判定精度が設定される（図１０のステップＳ２５）。人物の社会的所属を取得する処理は、本発明のアクセス管理方法における所属取得過程の一例にあたり、判定精度を設定する処理は、本発明のアクセス管理方法における精度設定過程の一例に相当する。また、精度設定部６０７は、本発明にいう情報取得部および精度設定部それぞれの一例に相当する。本実施形態においては、社会的地位が「公務員」「会社員等」である場合は、データ面３２０に機密事項が記録されていると考えられるため、不正アクセスを確実に防止するために高い判定精度が設定される。また、社会的地位が「その他」である場合は、ＤＶＤ３００は私用として利用されていると考えられるため、所有者本人に対しては確実にアクセスが許可されるように、低い判定精度が設定される。設定された判定精度は、一致判定部６０９に伝えられる。
【００９３】
判定精度が設定されると、パーソナルコンピュータ１００の表示画面１２１には、撮影の開始を指示するための撮影ボタン（図示しない）が表示される。要求人物がマウス１４０やキーボード１３０などで撮影ボタン１４０を選択すると、撮影装置１０１において要求人物が撮影され、撮影画像が要求者画像取得部６０８に伝えられる（図１０のステップＳ２６）。撮影画像が取得されるステップＳ２６の処理は、本発明のアクセス管理方法における人物画像撮影過程の一例にあたり、マウス１４０およびキーボード１３０と、要求者画像取得部６０８とを合わせたものは、本発明にいう人物撮影部の一例に相当する。要求者画像取得部６０８は、取得した撮影画像を一致判定部６０９に伝える。
【００９４】
一致判定部６０９は、レーベル画像読取部６０５から伝えられたレーベル画像中の人物画像を取得し、その人物画像中の許可人物と、要求画像取得部６０８から伝えられた撮影画像中の要求人物とが一致するか否かを、精度設定部６０７で設定された一致精度で判定する（図１０のステップＳ２７）。人物を認証する処理は、特開２００３−２３３８１６などにも提案されており、従来から広く利用されている技術であるため、本明細書では説明を省略する。人物画像中の許可人物と撮影画像中の要求人物とが一致するか否かを判定するステップＳ２７の処理は、本発明のアクセス管理方法における一致判定過程の一例にあたり、一致判定部６０９は、本発明にいう一致判定部の一例に相当する。図９に示す例では、社会的地位が「会社員等」であるため高い一致精度が設定されており、許可人物と要求人物とが精密に比較される。本実施形態においては、社会的地位として「公務員」や「会社員等」が設定されており、仕事用として利用されている記録メディアに対しては、許可人物と要求人物とが一致しているか否かが高い精度で判定されるため、会社の機密情報などといった重要な情報の漏洩を確実に防止することができる。また、社会的地位として「その他」が設定されており、主婦や学生などが私用で利用している記録メディアに対しては、低い精度で判定処理が実行されるため、許可人物と要求人物とが同一人物である場合には、撮影時の表情などに関わらず一致していることを確実に判定することができる。一致判定部６０９における判定結果は、アクセス許可部６１０に伝えられる。
【００９５】
アクセス許可部６１０は、一致判定部６０９において一致すると判定された場合（図１０のステップＳ２８：Ｙｅｓ）、アクセス部６１１にデータ面３２０へのアクセス許可を与える（図１０のステップＳ２９）。アクセスを許可するステップＳ２９の処理は、本発明のアクセス管理方法におけるアクセス許可過程の一例にあたり、アクセス許可部６１０は、本発明にいうアクセス許可部の一例に相当する。
【００９６】
アクセス部６１１は、アクセス許可部６１０からアクセス許可が与えられると、ＤＶＤドライブ２００にアクセス指示を伝えることによって、ＤＶＤ３００のデータ面３２０に対してアクセスを開始する（図１０のステップＳ３０）。
【００９７】
また、一致判定部６０９において一致しないと判定された場合には（図１０のステップＳ２８：Ｎｏ）、アクセス許可部６１０は、アクセス部６１１にデータ面３２０へのアクセス許可を与えずに、図１に示す表示画面１２１に「認証エラー」というエラーメッセージを表示させる（図１０のステップＳ３１）。
【００９８】
このように、本実施形態のアクセス装置６００によると、パスワードなどを利用しなくても、ＤＶＤ３００への不正アクセスを確実に防止することができる。
【００９９】
ここで、上記では、職業や年齢それぞれに適した絵柄のレーベル画像を描画する例に付いて説明したが、本発明にいう画像描画部は、性別に適した絵柄のレーベル画像を描画するものであってもよく、性別に適した色のレーベル画像を描画するものであってもよい。
【０１００】
また、上記では、人物の社会的地位を人物画像のレイアウトで記録する例について説明したが、本発明にいう地位情報は、記録メディアのレーベル面に文字で直接に記録してもよく、レーベル面の最内周のトラックなどにデータとして記録してもよい。
【０１０１】
また、上記では、記録メディアの所有者に対してのみアクセスを許可する例について説明したが、本発明にいう記録メディアは、複数の許可人物それぞれの人物画像が描画されたものであってもよく、本発明のアクセス管理装置は、複数の人物に対してアクセスを許可するものであってもよい。
【０１０２】
また、上記では、撮影装置をパーソナルコンピュータに内蔵する例について説明したが、本発明にいう人物撮影部は、パーソナルコンピュータにデジタルカメラを接続し、そのデジタルカメラに対して撮影指示を送って撮影画像を得るものであってもよい。
【図面の簡単な説明】
【０１０３】
【図１】本発明のアクセス管理装置およびデータ記録装置それぞれの一実施形態が適用されたコンピュータシステムの外観斜視図である。
【図２】図１に示すＤＶＤドライブの内部構成を示すハードウェアブロック図である。
【図３】図１および図２に示すパーソナルコンピュータのハードウェア構成図である。
【図４】アクセス用プログラムが記憶されたＣＤ−ＲＯＭを示す概念図である。
【図５】パーソナルコンピュータ内に構築されるアクセス装置の機能ブロック図である。
【図６】ＤＶＤのレーベル面にレーベル画像を描画する一連の処理を示すフローチャート図である。
【図７】人物の情報を設定するための設定画面の一例を示す図である。
【図８】データベースに記憶されたテンプレートの一例を示す図である。
【図９】レーベル面に描かれたレーベル画像の一例を示す図である。
【図１０】ＤＶＤのデータ面にアクセスする一連の処理を示すフローチャートである。
【符号の説明】
【０１０４】
１０    コンピュータシステム
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    バス
１２０    画像表示装置
１２１    表示画面
１３０    キーボード
１４０    マウス
２００    ＤＶＤドライブ
２００ａ    ＤＶＤ装填口
２０１    光ピックアップ
２０１ａ    第１のレーザダイオード
２０１ｂ    第２のレーザダイオード
２０２    スピンドルモータ
２０３    回転検出器
２０４    ＲＦアンプ
２０５    デコーダ
２０６    サーボ回路
２０７    ステッピングモータ
２０８    モータドライバ
２０９    インタフェース回路
２１０    バッファメモリ
２１１    エンコーダ
２１２    ストラテジ回路
２１３    フレームメモリ
２１４    データ変換器
２１５    レーザパワー自動制御（ＡＬＰＣ）回路
２１６    レーザドライバ
２１７    画像読取回路
２１８    制御回路
３００    ＤＶＤ
５００    アクセス用プログラム
５０１    登録画像取得部
５０２    登録情報取得部
５０３    テンプレート取得部
５０４    レーベル画像描画部
５０５    レーベル画像読取部
５０６    要求受付部
５０７    精度設定部
５０８    要求者画像取得部
５０９    一致判定部
５１０    アクセス許可部
５１１    アクセス部
６００    アクセス装置
６０１    登録画像取得部
６０２    登録情報取得部
６０３    テンプレート取得部
６０４    レーベル画像描画部
６０５    レーベル画像読取部
６０６    要求受付部
６０７    精度設定部
６０８    要求者画像取得部
６０９    一致判定部
６１０    アクセス許可部
６１１    アクセス部
６２０    データベース
【図１】
2007317300.tif 000003
【図２】
2007317300.tif 000004
【図３】
2007317300.tif 000005
【図４】
2007317300.tif 000006
【図５】
2007317300.tif 000007
【図６】
2007317300.tif 000008
【図７】
2007317300.tif 000009
【図８】
2007317300.tif 000010
【図９】
2007317300.tif 000011
【図１０】
2007317300.tif 000012